(57)【要約】【課題】電圧非印加状態でフィルタが着色状態となる照明装置において、照明装置の意匠性の低下を抑えることができる照明装置を提供する。【解決手段】フィルタに印加される電圧を調整可能な電圧調整部としての制御部を備える。前記フィルタは、光源が消灯時に、前記制御部により電圧が印加されて非着色状態とされる。【選択図】図３
2014207127.tif 000002
【特許請求の範囲】
【請求項１】
照射光を発する光源と、該光源の発光面に設けられ、電圧非印加状態にて着色状態となるエレクトロクロミック材料を含有するフィルタとを備えた照明装置であって、
前記フィルタに印加される電圧を調整可能な電圧調整部を備え、
前記フィルタは、前記光源が消灯時に、前記電圧調整部により電圧が印加されて非着色状態とされることを特徴とする照明装置。
【請求項２】
請求項１に記載の照明装置において、
前記フィルタは、メモリ性を有し、前記光源が消灯時に、前記電圧調整部により周期的に電圧が印加されて非着色状態が維持されることを特徴とする照明装置。
【請求項３】
請求項１又は２に記載の照明装置において、
人の有無を検知する人感センサを有し、
前記人感センサにより人が検知されない場合には、前記電圧調整部によって前記フィルタを非印加状態として前記フィルタを着色状態とすることを特徴とする照明装置。
【発明の詳細な説明】
【技術分野】
【０００１】
本発明は、照明装置に関するものである。
【背景技術】
【０００２】
オフィス、一般家庭や商業施設等で利用される照明装置には、その用途に応じて照明光の光色を変化させることが望まれている。例えば蛍光灯では数種類の色温度の異なる製品が販売されている。しかし、このような照明装置では、製品毎に色温度が固定されることとなるため、ユーザの所望の色温度に変化させることは困難であった。
【０００３】
これに対し、光源と、この光源と照射対象との間に電気化学応答性材料層（エレクトロクロミック材料を含有する層）を有するフィルタとを備え、任意に照射光の色温度を変化させる照明装置も開発されている（例えば特許文献１，２参照）。このような照明装置では、電気化学応答性材料層を有するフィルタに対して例えば電圧印加することで消色や発色（着色）を行い、色温度を変化させている。
【０００４】
また、特許文献３の照明装置で用いられるフィルタでは、電気化学応答性材料層に加えて、この電気化学応答性材料層の反応を速めるために補助電気化学応答性材料層を備えている。
【先行技術文献】
【特許文献】
【０００５】
【特許文献１】特開平４−１３３２０４号公報
【特許文献２】特開平６−１１１６１５号公報
【特許文献３】特開２０１２−１２４１４０号公報
【発明の概要】
【発明が解決しようとする課題】
【０００６】
ところで、上記のような照明装置のフィルタは、エレクトロクロミック材料を用いているため、例えば電圧を印加していない状態（電圧非印加状態）でフィルタが着色状態となるものがある。このようなフィルタを照明装置に用いると、光源を消灯させた場合でもフィルタの色を観測者（使用者）が認識してしまい、照明装置の意匠性を低下させる虞がある。
【０００７】
本発明は、上記課題を解決するためになされたものであって、その目的は、電圧非印加状態でフィルタが着色状態となる照明装置において、照明装置の意匠性の低下を抑えることができる照明装置を提供することにある。
【課題を解決するための手段】
【０００８】
上記課題を解決するために、照明装置は、照射光を発する光源と、該光源の発光面に設けられ、電圧非印加状態にて着色状態となるエレクトロクロミック材料を含有するフィルタとを備えた照明装置であって、前記フィルタに印加される電圧を調整可能な電圧調整部を備え、前記フィルタは、前記光源が消灯時に、前記電圧調整部により電圧が印加されて非着色状態とされる。
【０００９】
また上記構成において、前記フィルタは、メモリ性を有し、前記光源が消灯時に、前記電圧調整部により周期的に電圧が印加されて非着色状態が維持されることが好ましい。
また上記構成において、人の有無を検知する人感センサを有し、前記人感センサにより人が検知されない場合には、前記電圧調整部によって前記フィルタを非印加状態として前記フィルタを着色状態とすることが好ましい。
【発明の効果】
【００１０】
本発明の照明装置によれば、電圧非印加状態でフィルタが着色状態となる照明装置において、照明装置の意匠性の低下を抑えることができる。
【図面の簡単な説明】
【００１１】
【図１】一実施形態における照明装置を示す概略構成図である。
【図２】同上における照明装置のフィルタの着色状態と透明状態（非着色状態）との切り替え例を説明するための説明図である。
【図３】同上における照明装置の動作例を説明するための説明図である。
【図４】別例における照明装置の動作例を説明するための説明図である。
【図５】別例における照明装置の動作例を説明するための説明図である。
【発明を実施するための形態】
【００１２】
以下、照明装置の一実施形態を図面に従って説明する。
図１に示すように、本実施形態の照明装置１０は、光源１１と、フィルタ１２と、制御部１３とを有する。光源１１は、発光面１１ａから光を出射するものであり、例えばＬＥＤで構成される。
【００１３】
フィルタ１２は、電圧又は電流を加えた時に、可逆的な色変化が発生するエレクトロクロミック材料を用いている。例えばエレクトロクロミック材料として、プルシアンブルー型金属錯体を含有している。このため、フィルタ１２は電圧非印加状態において略青色（着色状態）となる。
【００１４】
ここで、エレクトロクロミック材料を含有するフィルタ１２の特性を図２を用いて説明する。なお、図２では、フィルタ１２に電圧を印加していない場合、「非印加」と示し、前記フィルタ１２が透明となる方向に電圧を印加する場合、「透明印加」と示し、フィルタ１２を着色する方向に電圧を印加する場合、「着色印加」と示している。
【００１５】
フィルタ１２は、電圧が印加されていない非印加状態の場合（図２においてｔ１で図示）、着色状態となる。フィルタ１２は、例えばフィルタ１２に所定電圧Ｖが印加（透明印加）されると（図２においてｔ２で図示）、透明（非着色）状態となる。
【００１６】
また、前記電圧Ｖを印加する場合を「透明印加」とすると、フィルタ１２に電圧が印加されてフィルタ１２が透明状態となってから（図２中、ｔ２で図示）、フィルタ１２に前記電圧Ｖとは逆電位の電圧が印加（着色印加）されると（図２中、ｔ３で図示）、酸化・還元反応が促進されて瞬時に着色状態とされる。また、フィルタ１２は、メモリ性を有する。このため、フィルタ１２に電圧が印加された状態とされてフィルタ１２が透明状態となってから（図２中、ｔ４で図示）、フィルタ１２への電圧印加が遮断されると、フィルタ１２は徐々に着色状態に近づき、電圧印加が一定時間（図２中、所定時間ｔ５）遮断されると着色状態となる。
【００１７】
図１に示すように、制御部１３は、光源１１及びフィルタ１２と電気的に接続されている。制御部１３は、前記光源１１の点灯と消灯（非点灯）とを切り替え制御するものである。その一例として、制御部１３は、例えば人によるオンオフ操作が可能な操作スイッチ（図示略）がオン状態とされると光源１１に電力供給を開始して光源１１を点灯させ、前記操作スイッチがオフ状態とされると光源１１への電力供給を停止して光源１１を消灯させる。
【００１８】
更に、制御部１３は、フィルタ１２への印加電圧の調整を行ってフィルタ１２を着色させた着色状態と、フィルタ１２を透明（非着色）とした非着色状態とを切り替え制御するものである。
【００１９】
次に、本実施形態の作用を説明する。
本実施形態の照明装置１０の制御部１３は、図３に示すように光源１１が消灯時に、前記フィルタ１２に対して電圧を印加して（図３中、Ｔ１で図示）、フィルタ１２を非着色状態（透明状態）とする。これにより、光源１１消灯時にフィルタ１２を透明とすることができ、フィルタ１２による照明装置１０の意匠性の低下が抑えられている。
【００２０】
図３に示すように光源１１が点灯された状態で、前記フィルタ１２を透明状態とする場合（図３中、Ｔ２で図示）、制御部１３は、フィルタ１２に電圧（Ｖ）を印加する。これにより、光源の光はフィルタ１２内を透過しても、光源１１の光の色温度と略同じのままとなり、その光が照射対象に照射される。
【００２１】
また、図３に示すように光源１１が点灯された状態で、前記フィルタ１２を透明状態から着色状態とする場合（図３中、Ｔ３で図示）、制御部１３は、フィルタ１２に逆電位を印加する。これにより、光源１１の光色が白色であれば、光源１１の光はフィルタ１２を透過することで、青みがかった光（光源１１よりも高色温度の光）として照射対象に光が照射される。
【００２２】
このように、フィルタ１２の電圧印加状態を変更することで、照明装置１０の色温度を変化させることが可能となっている。
次に、本実施形態の効果を記載する。
【００２３】
（１）フィルタ１２に印加される電圧を調整可能な電圧調整部としての制御部１３を備え、前記フィルタ１２は、光源１１が消灯時に、制御部１３により電圧が印加されて非着色状態とされる。このような構成とすることで、フィルタ１２による照明装置１０のデザイン（意匠性）に影響を与えることを抑えることができる。これにより、電圧非印加状態でフィルタ１２が着色状態となる照明装置１０において、照明装置１０の意匠性の低下を抑えることができる。
【００２４】
尚、上記実施形態は、以下のように変更してもよい。
・上記実施形態では、光源１１にＬＥＤを採用したが、これに限らない。例えば白熱灯や蛍光灯を採用してもよい。
【００２５】
・上記実施形態では、エレクトロクロミック材料としてプルシアンブルー型金属錯体を含有する構成としたが、これに限らず、他のエレクトロクロミック材料を採用してもよい。但し、何れのものであっても、電圧非印加状態にて着色状態となるものを採用する。
【００２６】
・上記実施形態では、光源１１が消灯時に、制御部１３によって電圧を常時印加する構成としたが、これに限らない。
図４に示すように、光源１１が消灯時に、電圧の非印加状態と印加状態を定期的（周期的）に切り替えて、フィルタ１２の非着色状態を維持される。ここで、フィルタ１２は、上記実施形態でも言及したようにメモリ性を有する場合、フィルタ１２への電圧印加が遮断されると、フィルタ１２は徐々に着色状態に近づき、電圧印加が一定時間（図２中、所定時間ｔ５）遮断されると着色状態となる。そのため、前記光源１１が消灯時は、フィルタ１２が着色状態とならない範囲で周期的に電圧を印加（透明印加）することで非着色状態が維持することが可能となる。これにより、電圧印加しない期間が存在するため、省電力に寄与することができる。
【００２７】
・上記実施形態では、特に言及していないが、例えば、照明装置１０に人の有無を検知する人感センサ２０（図１参照）を備え、人感センサ２０で検知される人の有無により前記フィルタ１２への電圧の印加状態と非印加状態を制御する構成を採用してもよい。その一例を以下に示す。
【００２８】
図１及び図５に示すように、前記人感センサ２０により人が検知されない場合（図５において「未検知」の場合）、制御部１３はフィルタ１２への電圧を非印加状態としてフィルタ１２を着色状態とする。このような構成とすることで、人が不在時にフィルタ１２に対する電圧印加が抑えられるため、フィルタ１２で発生する消費電力を抑えることができる。
【００２９】
ちなみに、図１及び図５に示すように人感センサ２０により人が検知された場合（図５において「検知」の場合）、前記制御部１３は、フィルタ１２を非着色状態となるように電圧を印加してフィルタ１２を非着色状態としたり、状況に合わせてフィルタ１２を着色する場合には逆電位の電圧を印加（着色印加）してフィルタ１２を着色状態としてもよい。なお、前記人感センサ２０は、例えば照明装置１０による光の照射範囲内で人の有無を検知できる位置に配置する構成が考えられる。また、人が前記フィルタ１２を視認できる範囲内で人の有無を検知できる位置に前記人感センサ２０を配置する構成が考えられる。
【００３０】
・上記実施形態では特に言及していないが、照明装置１０の適用範囲の一例として、ダウンライト、スポットライト、シーリングライト、デスクライトなどが考えられるが、状況に応じて色温度の変化が必要な照明装置であればその適用範囲は限定しない。
【００３１】
・上記実施形態並びに上記各変形例を適宜複数組み合わせてもよい。
【符号の説明】
【００３２】
１０…照明装置、１１…光源、１１ａ…発光面、１２…フィルタ、１３…制御部（電圧調整部）、２０…人感センサ。
【図１】
2014207127.tif 000003
【図２】
2014207127.tif 000004
【図３】
2014207127.tif 000005
【図４】
2014207127.tif 000006
【図５】
2014207127.tif 000007